(57)【特許請求の範囲】
【請求項１】
ＳＩＭカードに通信処理を行うオーバレイを取付けられることを可能にするＳＩＭカードのアプリケータであって、前記ＳＩＭカードは、複数のＳＩＭカードパッドを備え、前記オーバレイは、通信処理部と、取付けられることで前記通信処理部が前記ＳＩＭカードに／から情報を送信／受信可能にするオーバレイパッドとを備え、前記アプリケータは、
決まった位置に前記オーバレイを除去することが可能に保持する保持部と、
前記ＳＩＭカードを受け入れるＳＩＭ受入部とを備え、前記保持部と前記ＳＩＭ受入部とは、前記オーバレイの前記通信処理部と前記ＳＩＭカードの前記ＳＩＭカードパッドとが正確に位置を合わせ、固定するように配置され、
前記オーバレイは、前記保持部から除去すること、または分離することができ、それによって、モバイル端末で使用するための改造されたＳＩＭカードを規定するために、前記オーバレイの前記通信処理部が、前記ＳＩＭカードパッドに対して正確に位置を合わせられ、固定される、ＳＩＭカードのアプリケータ。
【請求項２】
前記ＳＩＭ受入部は、前記ＳＩＭカードを収容するための切抜き部があるクレジットカード型の保持部を備え、前記切抜き部は、前記オーバレイと位置合わせされており、
前記アプリケータは、前記切抜き部の内側に配置することができるアダプタを含み、前記アダプタは、大きさの異なる様々なＳＩＭカードを収容するように構成される、請求項１に記載のＳＩＭカードのアプリケータ。
【請求項３】
前記保持部は、前記オーバレイが除去することが可能に固定される粘着性の保護フィルムを備え、前記保護フィルムは、前記ＳＩＭ受入部の第１側面に対しても除去することが可能に固定可能である、請求項１または請求項２に記載のＳＩＭカードのアプリケータ。
【請求項４】
前記アプリケータは、前記ＳＩＭ受入部の他の側面にある前記オーバレイを覆うために、前記ＳＩＭ受入部の第２側面に対して除去することが可能に固定可能な第２の粘着性の保護フィルムを備えている、請求項１〜３のいずれか１項に記載のＳＩＭカードのアプリケータ。
【請求項５】
前記オーバレイは、前記通信処理部を取り囲むキャリア部分を備え、前記アプリケータは、前記取り囲むキャリア部分から前記オーバレイの前記通信処理部を除去するまたは分離するように構成されており、
前記アプリケータは、前記取り囲むキャリア部分から前記オーバレイの前記通信処理部を切り出すための操作を可能にするための切断要素を含み、
前記アプリケータは、前記ＳＩＭ受入部を規定するベース板を備え、前記ベース板は、前記ＳＩＭカードを収容するための開口部が設けてある、請求項１に記載のＳＩＭカードのアプリケータ。
【請求項６】
前記アプリケータは、前記ベース板に対し枢動可能なフレームを備え、前記フレームは、前記オーバレイを収容するための窓部を設けてあり、前記窓部と前記ベース板の前記開口部とは、前記ベース板と前記フレームとが互いに枢動されるときに、前記ＳＩＭカードパッドに対し前記オーバレイの前記通信処理部が正確に一致するように、位置を合わせ、
前記フレームは、前記フレームに前記オーバレイを固定して正確な位置を合わせるため、および一度に前記ベース板と前記フレームとを互いに枢動し、共に加圧して前記ＳＩＭカードに前記オーバレイを固定するための粘着性フィルムである固定手段を備えている、請求項５に記載のＳＩＭカードのアプリケータ。
【請求項７】
前記切断要素は、前記通信処理部と前記取り囲むキャリア部分との間の境界に対応し、前記取り囲むキャリア部分から前記通信処理部の分離を容易にするように形成される切断部を含み、
前記通信処理部と前記取り囲むキャリア部分との間の境界は、前記取り囲むキャリア部分から前記通信処理部を分離することをさらに容易にするために脆くしてある、請求項５または請求項６に記載のＳＩＭカードのアプリケータ。
【請求項８】
前記保持部と前記ＳＩＭ受入部との両方を一体的に規定したフレーム調整部を提供し、前記フレーム調整部は、中央開口部が設けてあり、
前記アプリケータは、前記フレーム調整部を受け入れるための溝部を有する治具部を備え、前記治具部には、前記フレーム調整部が前記治具部に挿入されたときに、前記フレーム調整部の前記中央開口部に合う中央開口部を設けてあり、
前記オーバレイは、除去されたとき、前記オーバレイに対する前記ＳＩＭカードの固定と、正確な位置合わせを確保するための除去可能な保護フィルムを装着してある、請求項５に記載のＳＩＭカードのアプリケータ。
【請求項９】
前記フレーム調整部は、それぞれに前記中央開口部が設けられた一対のプラスチック製のフレーム体を備え、前記フレーム体は、前記フレーム体を一体として固定するため、および前記フレーム体の間に前記オーバレイとそれに関連付けられた前記除去可能な保護フィルムとを挟むための固定部材を有しており、
前記フレーム調整部と前記治具部とは、前記治具部の前記溝部への前記フレーム調整部の挿入を容易にするために、補足的なガイド構造を含む、請求項８に記載のＳＩＭカードのアプリケータ。
【請求項１０】
前記切断要素は、前記通信処理部と前記取り囲むキャリア部分との間のミシン目を形成した境界に対応して、前記取り囲むキャリア部分から前記通信処理部の分離を容易にするように形成された切断部を含み、
前記切断要素は、前記フレーム調整部および前記治具部において位置が合わせられた開口部を介して前記切断部が押し込まれるように手動で動かすことが可能な分離された構成である、請求項８または請求項９に記載のＳＩＭカードのアプリケータ。
【請求項１１】
ＳＩＭカードに通信処理を行うオーバレイを取付ける方法であって、前記ＳＩＭカードは、複数のＳＩＭカードパッドを備え、前記オーバレイは、通信処理部と、オーバレイパッドとを備え、前記方法は、
前記オーバレイが除去することが可能に保持されている保持部を用意し、
ＳＩＭ受入部に設けられた切抜き部の内側に前記オーバレイを位置合わせ、前記オーバレイは、露出面に粘着性を有し、
前記切抜き部の内側に前記ＳＩＭカードを配置し、
前記オーバレイの前記通信処理部を前記ＳＩＭカードに堅固に接着し、
接着した前記ＳＩＭカードおよび前記オーバレイを前記保持部から除去し、それによって、モバイル端末で使用するための改造されたＳＩＭカードを規定するために、前記オーバレイの前記通信処理部が、前記ＳＩＭカードパッドに対して正確に位置を合わせられ、固定される、方法。
【請求項１２】
ＳＩＭカードに通信処理を行うオーバレイを取付ける方法であって、前記ＳＩＭカードは、複数のＳＩＭカードパッドを備え、前記オーバレイは、通信処理部と、取り囲むキャリア部分とを備え、前記方法は、
前記オーバレイの前記通信処理部と、前記ＳＩＭカードのＳＩＭカードパッドとの位置を合わせて、固定し、
前記取り囲むキャリア部分から前記オーバレイの前記通信処理部を除去し、それによって、モバイル端末で使用するための改造されたＳＩＭカードを規定するために、前記オーバレイの前記通信処理部が、前記ＳＩＭカードパッドに対して正確に位置を合わせられ、固定される、方法。
【請求項１３】
ＳＩＭカードに通信処理を行うオーバレイを取付けられることを可能にするＳＩＭカードのアプリケータのためのフレーム調整部であって、前記オーバレイは、通信処理部と、取り囲むキャリア部分とを備え、前記フレーム調整部は、中央開口部を設けたフレーム体を備え、前記オーバレイは、前記フレーム体の内側に位置付けられ、前記ＳＩＭカードは、前記フレーム体の前記中央開口部に収められ、前記フレーム調整部は、前記オーバレイと前記ＳＩＭカードとを収容し、正確に位置を合わせることができる、フレーム調整部。
【請求項１４】
前記フレーム体は、それぞれ中央開口部を設けた一対のプラスチックフレーム体と、前記オーバレイが前記一対のプラスチックフレーム体の間に位置し、
前記フレーム体の間に前記オーバレイを挟み、前記ＳＩＭカードを前記フレーム体の１つの前記中央開口部の内側に収めるための前記フレーム体を固定するための固定部とを備えている、請求項１３に記載のフレーム調整部。
【発明の詳細な説明】
【技術分野】
【０００１】
この発明は、ＳＩＭカードのアプリケータに関し、さらに関連する操作方法に関する。
【背景技術】
【０００２】
この発明は、参照によって援用されている同時係属中の米国特許出願第６１／７６０，９０５に含まれる主題に関する。広義には、米国特許出願第６１／７６０，９０５は、より良い通話および／またはデータレートをユーザのモバイル端末に提供するために選ばれた相互通信ネットワークにおいてモバイル端末を認証するためのシステム及び手法が開示されている。一つの実施の形態として、ＰＣＢデバイス形式のＳＩＭカードのオーバレイが、さまざまな携帯ネットワークにおいて要求認証を確立するのによく利用されている。
【０００３】
米国特許出願第６１／７６０，９０５に記載されているオーバレイは、
１）通信処理部と、
２）通信処理部を載せ、配線されたＰＣＢ（曲げやすい、またはその他）と、
３）モバイル端末のＳＩＭカードに／から情報を送信／受信することを通信処理部で可能にするためのパッドとを備えている。
【発明の概要】
【発明が解決しようとする課題】
【０００４】
オーバレイは、ＳＩＭカードのデバイス（特にＳＩＭカードのパッド）に正確に取り付けられる必要があり、典型的にはこれがエンドユーザによって行われる必要がある。このように、本願発明は、これを簡単、正確に達成するためのＳＩＭカードのアプリケータ、および関連する方法を提供することを目的としている。
【課題を解決するための手段】
【０００５】
第１の局面の発明によれば、ＳＩＭカードに通信処理を行うオーバレイを取付けられることを可能にするＳＩＭカードのアプリケータであって、ＳＩＭカードは、複数のＳＩＭカードパッドを備え、オーバレイは、通信処理部と、取付けられることで通信処理部がＳＩＭカードに／から情報を送信／受信可能にするオーバレイパッドとを備え、アプリケータは、
決まった位置にオーバレイを除去することが可能に保持する保持部と、
ＳＩＭカードを受け入れるＳＩＭ受入部とを備え、保持部とＳＩＭ受入部とは、オーバレイの通信処理部とＳＩＭカードのＳＩＭカードパッドとが正確に位置を合わせ、固定するように配置され、
オーバレイは、保持部から除去すること、または分離することができ、それによって、モバイル端末で使用するための改造されたＳＩＭカードを規定するために、オーバレイの通信処理部が、ＳＩＭカードパッドに対して正確に位置を合わせられ、固定される。
【０００６】
ある実施の形態において、ＳＩＭ受入部は、ＳＩＭカードを収容するための切抜き部があるクレジットカード型の保持部を備え、切抜き部は、オーバレイと位置合わせされている。好ましくは、切抜き部はＳＩＭカードの大きさである。
【０００７】
ある実施の形態において、アプリケータは、切抜き部の内側に配置することができるアダプタを含み、アダプタは、大きさの異なる様々なＳＩＭカードを収容するように構成される。
【０００８】
ある実施の形態において、保持部は、オーバレイが除去することが可能に固定される粘着性の保護フィルムを備え、フィルムは、ＳＩＭ受入部の第１側面に対しても除去することが可能に固定可能である。
【０００９】
ある実施の形態において、アプリケータは、ＳＩＭ受入部の他の側面にあるオーバレイを覆うために、ＳＩＭ受入部の第２側面に対して除去することが可能に固定可能な第２の粘着性の保護フィルムを備えている。オーバレイは、粘着性を持っており、第２の粘着性の保護フィルムが偶然の破損からオーバレイを保護し、オーバレイの粘着性を乾燥から防ぐ目的を有している。
【００１０】
ある実施の形態において、オーバレイは、通信処理部を取り囲むキャリア部分を備え、アプリケータは、取り囲むキャリア部分からオーバレイの通信処理部を除去するまたは分離するように構成され、それによって、モバイル端末で使用するための改造されたＳＩＭカードを規定するために、オーバレイの通信処理部が、ＳＩＭカードパッドに対して正確に位置を合わせられ、固定される。
【００１１】
ある実施の形態において、アプリケータは、取り囲むキャリア部分からオーバレイの通信処理部を切り出すための操作を可能にするための切断要素を含む。
【００１２】
一つの実施例において、アプリケータは、ＳＩＭ受入部を規定するベース板を備え、ベース板は、ＳＩＭカードを収容するための開口部が設けてある。
【００１３】
この第１の実施例において、アプリケータは、ベース板に対し枢動可能なフレームを備え、フレームは、オーバレイを収容するための窓部を設けてあり、窓部とベース板の開口部とは、ベース板とフレームとが互いに枢動されるときに、ＳＩＭカードパッドに対しオーバレイの通信処理部が正確に一致するように、位置を合わせる。
【００１４】
第１の実施例の実施の形態として、フレームは、フレームにオーバレイを固定して正確な位置を合わせるため、および一度にベース板とフレームとを互いに枢動し、共に加圧してＳＩＭカードにオーバレイを固定するための粘着性フィルムなどの固定手段を備えている。
【００１５】
第１の実施例の実施の形態として、切断要素は、通信処理部と取り囲むキャリア部分との間の境界に対応し、取り囲むキャリア部分から通信処理部の分離を容易にするように形成される切断部を含む。
【００１６】
ある実施の形態において、通信処理部と取り囲むキャリア部分との間の境界は、取り囲むキャリア部分から通信処理部を分離することをさらに容易にするために脆くしてある（例えば、ミシン目など）。
【００１７】
ある実施の形態において、取り囲むキャリア部分は、通信処理部が除去することが可能に固定されたテープを備えている。
【００１８】
第１の実施例の実施の形態として、切断要素は、ベース板およびフレームに対して枢動可能である。切断要素は、切断部材であり、フレームおよびベース板に取付けられていない。
【００１９】
別の変形例として、保持部とＳＩＭ受入部との両方を一体的に規定したフレーム調整部を提供し、フレーム調整部は、中央開口部が設けてある。
【００２０】
別の変形例として、アプリケータは、フレーム調整部を受け入れるための溝部を有する治具部を備え、治具部には、フレーム調整部が治具部に挿入されたときに、フレーム調整部の中央開口部に合う中央開口部を設けてある。
【００２１】
ある実施の形態において、オーバレイは、除去されたときに、オーバレイに対するＳＩＭカードの固定と、正確な位置合わせを確保するための除去可能な保護フィルムを装着してある。
【００２２】
ある実施の形態において、フレーム調整部は、それぞれに中央開口部が設けられた一対のプラスチック製のフレーム体を備え、フレーム体は、フレーム体を一体として固定するため、およびフレーム体の間にオーバレイとそれに関連付けられた除去可能な保護フィルムとを挟むための固定部材を有している。
【００２３】
ある実施の形態において、フレーム調整部と治具部とは、治具部の溝部へのフレーム調整部の挿入を容易にするために、補足的なガイド構造を含む。
【００２４】
ある実施の形態において、切断要素は、通信処理部と取り囲むキャリア部分との間のミシン目を形成した境界に対応して、取り囲むキャリア部分から通信処理部の分離を容易にするように形成された切断部を含む。
【００２５】
この実施例での切断要素は、フレーム調整部およびにおいて位置が合わせられた開口部を介して切断部が押し込まれるように手動で動かすことが可能な分離された構成である。
【００２６】
第２の局面の発明によれば、ＳＩＭカードに通信処理を行うオーバレイを取付ける方法であって、ＳＩＭカードは、複数のＳＩＭカードパッドを備え、オーバレイは、通信処理部と、オーバレイパッドとを備え、方法は、
オーバレイが除去することが可能に保持されている保持部を用意し、
ＳＩＭ受入部に設けられた切抜き部の内側にオーバレイを位置合わせ、オーバレイは、露出面に粘着性を有し、
切抜き部の内側にＳＩＭカードを配置し、
オーバレイの通信処理部をＳＩＭカードに堅固に接着し、
接着したＳＩＭカードおよびオーバレイを保持部から除去し、それによって、モバイル端末で使用するための改造されたＳＩＭカードを規定するために、オーバレイの通信処理部が、ＳＩＭカードパッドに対して正確に位置を合わせられ、固定される。
【００２７】
ある実施の形態において、方法は、オーバレイの露出面に粘着性を露出させるため、ＳＩＭ受入部の他の側面に装着された第２の粘着性の保護フィルムを除去する初期ステップを備えている。
【００２８】
第３の局面の発明によれば、ＳＩＭカードに通信処理を行うオーバレイを取付ける方法であって、ＳＩＭカードは、複数のＳＩＭカードパッドを備え、オーバレイは、通信処理部と、取り囲むキャリア部分とを備え、方法は、
オーバレイの通信処理部と、ＳＩＭカードのＳＩＭカードパッドとを位置を合わせて、固定し、
取り囲むキャリア部分からオーバレイの通信処理部を除去し、それによって、モバイル端末で使用するための改造されたＳＩＭカードを規定するために、オーバレイの通信処理部が、ＳＩＭカードパッドに対して正確に位置を合わせられ、固定される。
【００２９】
第４の局面の発明によれば、ＳＩＭカードに通信処理を行うオーバレイを取付けられることを可能にするＳＩＭカードのアプリケータのためのフレーム調整部であって、オーバレイは、通信処理部と、取り囲むキャリア部分とを備え、フレーム調整部は、中央開口部を設けたフレーム体を備え、オーバレイは、フレーム体の内側に位置付けられ、ＳＩＭカードは、フレーム体の中央開口部に収められ、フレーム調整部は、オーバレイとＳＩＭカードとを収容し、正確に位置を合わせることができる。
【００３０】
ある実施の形態において、フレーム体は、それぞれ中央開口部を設けた一対のプラスチックフレーム体と、オーバレイが一対のプラスチックフレーム体の間に位置し、
フレーム体の間にオーバレイを挟み、ＳＩＭカードをフレーム体の１つの中央開口部の内側に収めるためのフレーム体を固定するための固定部とを備えている。
【００３１】
ある実施の形態において、オーバレイは、除去されたときに、フレーム調整部においてオーバレイに対するＳＩＭカードの固定と、正確な位置合わせを確保するための除去可能な保護フィルムを装着してある。
【図面の簡単な説明】
【００３２】
【図１】本発明の実施の形態に係るＳＩＭカードのアプリケータの分解、透視図である。
【図２】本発明の実施の形態１に係るＳＩＭカードのアプリケータの第１透視図である。
【図３】本発明の実施の形態１に係るＳＩＭカードのアプリケータの第２透視図である。
【図４】本発明の実施の形態１に係るＳＩＭカードのアプリケータの第３透視図である。
【図５】本発明の実施の形態２に係るＳＩＭカードのアプリケータの第１透視図である。
【図６】本発明の実施の形態２に係るＳＩＭカードのアプリケータの第２透視図である。
【図７】本発明の実施の形態３に係るＳＩＭカードのアプリケータの分解透視図である。
【図８】図７に示すＳＩＭカードのアプリケータにおいて使用するフレームの位置を合わせた分解透視図である。
【図９】組み立てられた形で、ＳＩＭカードを確実に受け入れる状態にあり、図８に示すフレームの位置を合わせた第１透視図である。
【図１０】組み立てられた形で、ＳＩＭカードを確実に受け入れる状態にあり、図８に示すフレームの位置を合わせた第２透視図である。
【図１１】図７に示すＳＩＭカードのアプリケータの使用中の分解透視図である。
【発明を実施するための形態】
【００３３】
図１を参照して、ＳＩＭカードのアプリケータ１０は、ＳＩＭカード１４に通信処理のオーバレイ１２を取付け可能にするために用いられる。ＳＩＭカード１４は、複数のＳＩＭカードパッド（図示せず、ＳＩＭカードの反対の面側にある）を備えている。オーバレイ１２は、通信処理部１６と、取付けられることで通信処理部１６がＳＩＭカード１４に／から情報を送信／受信可能にするオーバレイパッド１８とを備えている。
【００３４】
アプリケータ１０は、決まった位置にオーバレイ１２を除去することが可能に保持する保持部２０を備えている。本実施の形態では、保持部２０が、オーバレイ１２を除去することが可能に固定するための、粘着性のある透明の保護フィルム２２を備えている。特に、オーバレイ１２とフィルム２２との間の粘着性の強さは、オーバレイ１２がフィルム２２から比較的に容易に除去することできる程度であり、以下でより詳しく説明する。
【００３５】
アプリケータ１０は、ＳＩＭカード１４を受け入れ収容するためのＳＩＭ受入部２４をさらに備え、保持部２０とＳＩＭ受入部２４は、オーバレイ１２の通信処理部（特に、オーバレイ１２のオーバレイパッド１８）とＳＩＭカード１４のＳＩＭカードパッドとが正確な位置で固定されるために用いられる。フィルム２２は、少なくとも初期の一体構成を規定するように、ＳＩＭ受入部２４の第１側面２５に対しても除去することが可能に固定可能である。
【００３６】
それゆえ広義には、オーバレイ１２は、保持部２０から除去して分離することが可能であり、それによって、モバイル端末で使用するための改造ＳＩＭカードを規定するために、オーバレイ１２の通信処理部（特に、オーバレイ１２のオーバレイパッド１８）がＳＩＭカードパッドに対して正確に位置を合わせられ、固定される。
【００３７】
本実施の形態において、ＳＩＭ受入部２４は、ＳＩＭカード１４を収容するためのＳＩＭカードサイズの切抜き部２８を持つクレジットカード型の保持部２６を備え、切抜き部２８は、オーバレイ１２と位置を合わせられている。
【００３８】
アプリケータは、切抜き部２８の内側に配置することが可能なアダプタやクリップ３０を含んでいてもよく、アダプタ３０は、サイズの異なる（例えば、小さい）様々な種類のＳＩＭカードを収容するように構成されている。ＳＩＭカードのサイズに関係なく、ＳＩＭカード１４のパッドは統一されており、オーバレイ１２のパッド１８はそれに応じて配列されている。アダプタ（または、複数のアダプタ）は、切抜き部２８の内側にぴったりと嵌る単純な形状の枠３２でよく、枠には、要求や必要に応じて、（小さい）ＳＩＭカードを受け入れるための小さい内部開口部３３が設けられる。
【００３９】
本実施の形態において、アプリケータ１０は、ＳＩＭ受入部２４の反対側のオーバレイ１２を覆うため、ＳＩＭ受入部２４の第２側面３６に対しても除去することが可能に固定可能な第２粘着性保護フィルム３４を備えている。オーバレイ１２は、それ自体にも粘着性が与えられており、第２粘着性保護フィルム３４の目的は、偶然の破損からオーバレイ１２を保護し、オーバレイ１２の粘着性を乾燥から防ぐことである。
【００４０】
例えば、使用において、ユーザは、最初にＳＩＭ受入部２４の第２側面３６から第２粘着性保護フィルム３４を除去する。これにより切抜き部２８が露出し、その奥でオーバレイ１２は、切抜き部２８に対応する位置で合わせられている。次にユーザは、自身のＳＩＭカード１４を切抜き部２８の内側に配置する。ＳＩＭカード１４が切抜き部より小さいなどの要望があれば、ユーザは、切抜き部２８の内側にＳＩＭカード１４を堅固に固定するためにアダプタ３０を使用してもよい。次にユーザは、オーバレイ１２に対してＳＩＭカード１４をしっかり押して、オーバレイ１２の粘着性で、ＳＩＭカード１４がオーバレイ１２に堅固に接着されることを確保する。次に、ＳＩＭ受入部２４の第１側面２５の保護フィルム２２がＳＩＭ受入部２４から除去される、つまり、ユーザのモバイル端末にその後使用するため、オーバレイが接着したＳＩＭカードは保護フィルム２２から除去される。
【００４１】
図２〜図４、図５および図６に変わると、２つの異なる実施の形態に係るＳＩＭカードのアプリケータ１１０，１１０’が図示されている。しかしながら、２つの実施の形態は、実質的に類似している。そして、図２〜図４で示した類似する要素の図５および図６での参照番号は、「’」を追加して表す。
【００４２】
ＳＩＭカードのアプリケータ１１０，１１０’は、ＳＩＭカード１１４，１１４’に通信処理のオーバレイ１１２を取付け可能である。ＳＩＭカード１１４，１１４’は、複数のＳＩＭカードパッド１１６，１１６’を備えている。
【００４３】
本実施の形態において、オーバレイ１１２は、通信処理部１１８と、取り囲むキャリア部分１２０とを備えている。
【００４４】
アプリケータ１１０，１１０’は、決まった位置にオーバレイ１１２を保持する保持部１２２，１２２’と、ＳＩＭカード１１４，１１４’を受け入れるためのＳＩＭ受入部１２４，１２４’とを備えている。保持部１２２，１２２’とＳＩＭ受入部１２４，１２４’とは、オーバレイ１１２の通信処理部１１８とＳＩＭカード１１４，１１４’のＳＩＭカードパッド１１６，１１６’とが正確な位置で固定されるように配置されている。
【００４５】
アプリケータ１１０，１１０’は、取り囲むキャリア部分１２０からオーバレイ１１２の通信処理部１１８を切り出す操作ができる切断要素１２６，１２６’をさらに備えている。広い意味で、モバイル端末で使用するための改造ＳＩＭカードを規定するために、オーバレイ１２の通信処理部１１８がＳＩＭカードパッド１１６，１１６’に対して正確に位置を合わせられ、固定される。
【００４６】
一つの実施例において、アプリケータ１１０，１１０’は、ＳＩＭ受入部１２４，１２４’を構成するベース板１２８，１２８’を備え、ベース板１２８，１２８’にはＳＩＭカード１１４，１１４’を収容するためのＳＩＭ型の開口部１３０，１３０’が設けてある。
【００４７】
この第１の実施例において、アプリケータ１１０，１１０’は、ピン１３３を介してベース板１２８，１２８’に対し枢動可能なフレーム１３２，１３２’を備えている。フレーム１３２，１３２’は、オーバレイ１１２を収容するための窓部１３４，１３４’を設けており、ベース板１２８，１２８’とフレーム１３２，１３２’が互いに枢動されるときに、ＳＩＭカードパッド１１６，１１６’に対しオーバレイ１１２の通信処理部１１８が正確に対応するように、窓部１３４，１３４’とベース板１２８，１２８’の開口部１３０，１３０’とが整列されている。
【００４８】
第１の実施例の実施の形態として、フレーム１３２，１３２’は、フレーム１３２，１３２’にオーバレイ１１２を固定して正確な位置を合わせるため、および一度にベース板１２８，１２８’とフレーム１３２，１３２’とを互いに枢動し、共に手動で加圧してＳＩＭカード１１４，１１４’にオーバレイ１１２を固定するために粘着性フィルム１３６（図５および図６には図示していない、しかし、それは類似している）などの固定手段を備えている。
【００４９】
第１の実施例の実施の形態として、切断要素１２６，１２６’は、通信処理部１１８と取り囲むキャリア部分１２０との間の境界１２１に対応し、取り囲むキャリア部分１２０から通信処理部１１８の分離を容易にするように形成される切断部１３８，１３８’を含んでいる。
【００５０】
好ましくは、通信処理部１１８と取り囲むキャリア部分１２０との間の境界１２１は、取り囲むキャリア部分１２０から通信処理部１１８の分離を容易にするようにミシン目が形成されている。
【００５１】
第１の実施例の実施の形態として、切断要素１２６，１２６’は、ピン１３３を介してフレーム１３２，１３２’およびベース板１２８，１２８’に対し枢動可能である。あるいは、切断要素１２６，１２６’は、フレーム１３２，１３２’またはベース板１２８，１２８’のいずれか一方に取付けられず、分離した構成である。
【００５２】
図７〜図１１に変わると、ＳＩＭカードのアプリケータ１５０は、保持部とＳＩＭ受入部との両方を一体的にするフレーム調整部１５２を含み、フレーム調整部１５２は、中央開口部１５４が設けてある。
【００５３】
特に、図８〜図１０を参照して、オーバレイ１５６は、除去されたときに、オーバレイ１５６に対するパッド１６４を有するＳＩＭカード１６２の固定と、正確な位置合わせを確保するための除去可能な保護フィルム１５８（突き出したタブ１６０を有する）を装着してある。
【００５４】
ある実施の形態において、フレーム調整部１５２は、それぞれに中央開口部１７０，１７２が設けられた一対のプラスチック製のフレーム体１６６，１６８を備えている。フレーム体１６６，１６８は、フレーム体１６６，１６８を一体として固定するため、およびフレーム体１６６，１６８の間にオーバレイ１５６とそれに関連付けられた除去可能な保護フィルム１５８とを挟むための固定部材を有している。
【００５５】
別の実施例において、アプリケータ１５０は、フレーム調整部１５２を受け入れるための溝部１７８を有する治具部１７６を備え、治具部１７６には、フレーム調整部１５２が治具部１７６に挿入されたときに、フレーム調整部１５２の中央開口部１７０，１７２に合う中央開口部１８０を設けてある。
【００５６】
好ましくは、フレーム調整部１５２と治具部１７６とは、治具部１７６の溝部１７８へのフレーム調整部１５２の挿入を容易にするために、補足的なガイド構造１８２を含んでいる。
【００５７】
ある実施の形態において、切断要素１８６は、通信処理部１９２と取り囲むキャリア部分１９４との間のミシン目を形成した境界１９０に対応して、取り囲むキャリア部分１９４から通信処理部１９２の分離を容易にするように形成された切断部１８８を含んでいる。
【００５８】
この実施例での切断要素１８６は、フレーム調整部１５２および治具部１７６において位置を合わせられた開口部を介して切断部１８８が押し込まれるように手動で動かすことが可能な分離された構成である。
【００５９】
本願発明は、ユーザのＳＩＭカードにオーバレイを正確に固定するために、使用しやすいＳＩＭカードのアプリケータを提供する。
【図１】
0006495295.tif 000002
【図２】
0006495295.tif 000003
【図３】
0006495295.tif 000004
【図４】
0006495295.tif 000005
【図５】
0006495295.tif 000006
【図６】
0006495295.tif 000007
【図７】
0006495295.tif 000008
【図８】
0006495295.tif 000009
【図９】
0006495295.tif 000010
【図１０】
0006495295.tif 000011
【図１１】
0006495295.tif 000012